(57)【要約】【課題】光と帯電微粒子液体を付与しつつ、霧化効率を向上させることが可能な美容装置を提供する。【解決手段】ファン部５０の風を光照射部３０に送るための第１送風路５１と、ファン部５０の風をペルチェユニットの放熱フィンに送る第２送風路５２と、ファン部５０の風を霧化電極の基端側から先端側に向かって送るための第３送風路５３とを備える。そして、第２送風路５２は、第１送風路５１と送風経路が異なるように分岐される。【選択図】図１
2013123473.tif 000002
【特許請求の範囲】
【請求項１】
光を発する光源を有して使用者に前記光源からの光を照射する光照射部と、
霧化電極をペルチェユニットの冷却部にて冷却することで前記霧化電極に液体を生成し、該液体に電圧を印加させて帯電微粒子液体を生成する静電霧化部と、
液体貯留部に貯留された液体からミストを生成して前記使用者に噴霧するミスト生成部と、
少なくとも前記静電霧化部及び前記光照射部に風を送るための風を発生させる送風部と、
前記送風部からの風を前記光照射部に送るための第１送風路と、
前記第１送風路と送風経路が異なるように分岐されるとともに前記送風部からの風を前記ペルチェユニットの放熱部に送るための第２送風路と、
前記送風部からの風を前記霧化電極の基端側から先端側に向かって送るための第３送風路と、
を備えたことを特徴とする美容装置。
【請求項２】
請求項１に記載の美容装置において、
前記第３送風路は、前記第１及び第２送風路と送風経路が異なるように分岐されることを特徴とする美容装置。
【請求項３】
請求項１又は２に記載の美容装置において、
前記第１送風路は、前記ペルチェユニットの冷却部に近接配置されたことを特徴とする美容装置。
【請求項４】
請求項１〜３のいずれか一項に記載の美容装置において、
前記第２送風路は、前記ペルチェユニットの前記放熱部よりも下流側において前記ミスト生成部で生成されたミストが供給されるミスト供給路と合流するように構成されることを特徴とする美容装置。
【請求項５】
請求項１〜４のいずれか一項に記載の美容装置において、
前記送風路の送風風量は、第２送風路、第１送風路、第３送風路の順に低下するように構成されたことを特徴とする美容装置。
【請求項６】
請求項１〜３のいずれか一項に記載の美容装置において、
前記送風部の下流側で分岐された第４送風路を備え、該第４送風路の下流側に前記ミスト生成部で生成されたミストが供給されるミスト供給路と合流するように構成されることを特徴とする美容装置。
【請求項７】
請求項６に記載の美容装置において、
前記送風路の送風風量は、第１送風路が第２送風路よりも多くなるように構成されたことを特徴とする美容装置。
【発明の詳細な説明】
【技術分野】
【０００１】
本発明は、光と帯電微粒子液体を付与する美容装置に関するものである。
【背景技術】
【０００２】
従来から美容剤、化粧剤又は水などのミスト溶液からミストを生成するミスト生成部と、肌の美容のための光を照射する光源を有する光照射部とを美容装置が知られている（例えば、特許文献１参照）。
【先行技術文献】
【特許文献】
【０００３】
【特許文献１】特開２００９−２８２７８号公報
【発明の概要】
【発明が解決しようとする課題】
【０００４】
ところで、上記のような美容装置では、霧化電極に高電圧を印加してミスト溶液を霧化した帯電微粒子液体を供給する方法が考えられる。しかしながら、上記の美容装置のように、光源からの光が当たる部位に霧化電極を設けると、霧化電極が光源の光などによって熱せられて霧化の効率を悪化させる虞がある。
【０００５】
本発明は、上記課題を解決するためになされたものであって、その目的は、光と帯電微粒子液体を付与しつつ、霧化効率を向上させることが可能な美容装置を提供することにある。
【課題を解決するための手段】
【０００６】
上記課題を解決するために、本発明の美容装置は、光を発する光源を有して使用者に前記光源からの光を照射する光照射部と、霧化電極をペルチェユニットの冷却部にて冷却することで前記霧化電極に液体を生成し、該液体に電圧を印加させて帯電微粒子液体を生成する静電霧化部と、液体貯留部に貯留された液体からミストを生成して前記使用者に噴霧するミスト生成部と、少なくとも前記静電霧化部及び前記光照射部に風を送るための風を発生させる送風部と、前記送風部からの風を前記光照射部に送るための第１送風路と、前記第１送風路と送風経路が異なるように分岐されるとともに前記送風部からの風を前記ペルチェユニットの放熱部に送るための第２送風路と、前記送風部からの風を前記霧化電極の基端側から先端側に向かって送るための第３送風路と、を備えたことを特徴とする。
【０００７】
上記構成において、第３送風路は、前記第１及び第２送風路と送風経路が異なるように分岐されることが好ましい。
上記構成において、第１送風路は、前記ペルチェユニットの冷却部に近接配置されることが好ましい。
【０００８】
上記構成において、第２送風路は、前記ペルチェユニットの前記放熱部よりも下流側において前記ミスト生成部で生成されたミストが供給されるミスト供給路と合流するように構成されることが好ましい。
【０００９】
上記構成において、送風路の送風風量は、第２送風路、第１送風路、第３送風路の順に低下するように構成されることが好ましい。
上記構成において、送風部の下流側で分岐された第４送風路を備え、該第４送風路の下流側に前記ミスト生成部で生成されたミストが供給されるミスト供給路と合流するように構成されることが好ましい。
【００１０】
上記構成において、送風路の送風風量は、第１送風路が第２送風路よりも多くなるように構成されることが好ましい。
【発明の効果】
【００１１】
本発明によれば、光と帯電微粒子液体を付与しつつ、霧化効率を向上させることが可能な美容装置を提供することができる。
【図面の簡単な説明】
【００１２】
【図１】実施形態における美容装置の断面図。
【図２】同上における美容装置の断面図
【図３】同上における美容装置の霧化電極周囲を拡大した要部拡大図。
【図４】別例における美容装置の霧化電極周囲を拡大した要部拡大図。
【図５】別例における美容装置の断面図。
【発明を実施するための形態】
【００１３】
以下、本発明を具体化した一実施形態を図面に従って説明する。
図１に示すように、本実施形態の美容装置１０は、略球状の装置本体１１の上部前面にミスト放出口１２と光照射口１３と微粒子液体放出口１４が備えられる。
【００１４】
ミスト放出口１２及び光照射口１３は、装置本体１１の上面中央に並設されており、ミスト放出口１２からはミスト噴霧が可能なように、光照射口１３からは光の照射が可能なように貫通孔が形成されている。また、前記ミスト放出口１２は、前記装置本体１１の上面において、使用者の肌面（施術部）に向かってミストを噴出する角度に開口されている。一方、微粒子液体放出口１４は、前記装置本体１１の下部前面に形成され、帯電微粒子液体を放出可能なように貫通穴が形成されている。
【００１５】
また、図１及び２に示すように、装置本体１１は、その内部にミスト生成部２０と、光照射部３０と、静電霧化部４０と、送風部としてのファン部５０とを備えている。
ミスト生成部２０を構成するボイラ室２１は、装置本体１１の上面に開口されたタンク収容部２２に収容される給水タンク２３と給水管２４を介して接続されている。このため、ボイラ室２１に給水タンク２３からミスト溶液２６が供給されるようになっている。
【００１６】
図１及び図２に示すように、前記ボイラ室２１の内側面にはヒータ２７が取着され、前記装置本体１１内においてボイラ室２１の側方には基板上に制御回路が形成された制御部ＣＰが配設されている。そして、制御部ＣＰの動作によりヒータ２７が作動すると、ボイラ室２１内のミスト溶液２６が加熱されてミストが生成される。
【００１７】
前記ボイラ室２１の上部にはミスト供給路としてのミスト案内管２８の一端が接続されている。そして、ボイラ室２１内で生成されたミストは、ミスト案内管２８を経て、ミスト生成部を構成するミスト放出口１２から噴霧されるようになっている。
【００１８】
光照射部３０は、光源３１を備え、光源３１は前記光照射口１３を向くように配置される。光源３１は、赤外光、レーザ光、キセノン光などの光を発するものであれば特に問わない。
【００１９】
静電霧化部４０は、少なくとも霧化電極４１と、この霧化電極４１の基端側に設けられるペルチェユニット４２とを備える。
ペルチェユニット４２は、図３に示すように、厚さ方向に互いに対向して配置される一対の回路基板４３，４４間にＢｉＴｅ系の複数の熱電素子４５を配置し、一方の回路基板４４に放熱部としての放熱フィン４６を当接配置して構成されている。回路基板４３，４４は、熱伝導性の高い絶縁板（例えばアルミナ、窒化アルミニウム等）に回路が形成されたプリント基板であり、前記回路は一対の回路基板４３，４４の互いに対向する面にそれぞれ形成されている。また、この回路によって複数の熱電素子４５が電気的に接続されている。更に、熱電素子４５は、ペルチェ入力リード線（図示略）を介して制御部ＣＰに接続されている。この制御部ＣＰは、ペルチェ入力リード線を介して熱電素子４５への通電を制御する。そして、このようなペルチェユニット４２は、ペルチェ入力リード線を介して熱電素子４５に通電されると、霧化電極４１と当接された一方の回路基板４３から、他方の回路基板４４に向けて熱が移動するようになっている。ペルチェユニット４２の回路基板４４には放熱フィン４６が当接されている。
【００２０】
ファン部５０は、装置本体１１外部から吸気して静電霧化部４０や光照射部３０に風を送るものである。ファン部５０は、風を光照射部３０（光源３１）に送るための第１送風路５１と、風をペルチェユニット４２の放熱部としての放熱フィン４６に送る第２送風路５２と、風を霧化電極４１の基端側から先端側に向かって送るための第３送風路５３とを接続されている。各送風路５１〜５３は、ファン部５０からの風を分岐させるためのものであり、送風路の送風風量が第２送風路５２、第１送風路５１、第３送風路５３の順に低下するように構成されている。
【００２１】
次に、上記のように構成された美容装置１０の一動作例（作用）について説明する。
電源が投入されると、制御部ＣＰの動作によりヒータ２７が駆動されて、ボイラ室２１内でミストが生成される。そして、使用者がミスト放出口１２の近傍に肌面を晒すと、ミスト放出口１２から噴出されるミストが肌面に供給される。また、制御部ＣＰにより光源３１が駆動されて、肌面に光が照射される。すると、肌面にミストが供給されるとともに、肌面の皮膚温度が美容効果を確保し得る温度に維持される。
【００２２】
また、制御部ＣＰは、静電霧化部４０のペルチェユニット４２を駆動させて、霧化電極４１の表面を結露させる。そして、制御部ＣＰは、霧化電極４１に高電圧を印加して結露水に電圧を印加させて帯電微粒子液体を生成して、微粒子液体放出口１４から供給する。
【００２３】
上記の動作に並行して、制御部ＣＰは、ファン部５０を駆動させて、各送風路５１〜５３に風を送る。そして、第１送風路５１内の風は光照射部３０の光源３１に供給されて、光源３１の冷却に用いられる。また、第２送風路５２内の風は、ペルチェユニット４２の放熱部としての放熱フィン４６に供給されて、放熱フィン４６の冷却に用いられて、ミスト供給路としてのミスト案内管２８と合流され、ミスト放出口１２からミスト放出とともに排出される。また、第３送風路５３内の風は、霧化電極４１の基端側から先端側である微粒子液体放出口１４に向かって供給されるため、この風によって帯電微粒子液体が装置本体１１外部（使用者側）により確実に放出される。
【００２４】
次に、本実施形態の特徴的な効果を記載する。
（１）ファン部５０の風を光照射部３０に送るための第１送風路５１と、ファン部５０の風をペルチェユニット４２の放熱フィン４６に送る第２送風路５２と、ファン部５０の風を霧化電極４１の基端側から先端側に向かって送るための第３送風路５３とを備える。そして、第２送風路５２は、第１送風路５１と送風経路が異なるように分岐される。このような構成とすることで、放熱フィン４６を備えた静電霧化部４０に光照射部３０の熱の影響を与えることを抑えることができるため、静電霧化部４０（霧化電極４１）による霧化効率を向上させることがえきる。
【００２５】
（２）第３送風路５３は、第１及び第２送風路５１，５２と送風経路が異なるように分岐されるため、霧化電極４１に温風が供給されることを抑えて霧化効率を更に向上させることが可能となる。
【００２６】
（３）第２送風路５２は、ペルチェユニット４２の放熱フィン４６よりも下流側においてミスト生成部２０で生成されたミストが供給されるミスト供給路としてのミスト案内管２８と合流される。このような構成とすることで、ミスト生成部２０で生成されたミストを装置本体１１外部まで勢いよく確実に付与することができる。
【００２７】
（４）各送風路５１〜５３の送風風量は、第２送風路５２、第１送風路５１、第３送風路５３の順に低下するように構成される。このため、最も冷却すべきペルチェユニット４２の放熱フィン４６に確実に風を送ることができる。
【００２８】
尚、本発明の各実施形態は、以下のように変更してもよい。
・上記各実施形態では、特に言及していないが、第１送風路５１は、図４に示すようにペルチェユニット４２の冷却部としての回路基板４３に近接配置する構成を採用してもよい。このような構成とすることで、回路基板４３の冷却機能によって第１送風路５１内の風を冷却して光照射部３０（光源３１）に供給することが可能となる。
【００２９】
・上記実施形態では、第３送風路５３とミスト案内管２８とが合流する構成としたが、図５に示すように合流しない構成を採用してもよい。なお、図５の構成では、ファン部５０の下流側で分岐された第４送風路５４を備え、第４送風路５４の下流側にミスト生成部２０で生成されたミスト案内管２８と合流する構成としている。このような構成とすることで、第４送風路５４の風によってミスト生成部２０で生成された温かいミストを冷やすことができる。このため、上記実施形態のようにヒータ２７を用いたミスト生成部２０で生成された比較的温かいミストであっても、温度を下げることができる。
【００３０】
また、上記構成において、第１送風路５１が第２送風路５２よりも多くなるように構成されることが望ましい。このような構成とすることで、光照射部３０（光源３１）の過度な温度上昇を抑えることができる。
【００３１】
・上記実施形態では、ミスト生成部としてヒータ２７により溶液をミスト化（霧化）する構成としたが、これに限らない。例えば、ポンプにより負圧を発生させて溶液をミスト化するベンチュリー式にてミスト生成部を構成してもよい。また、超音波振動子によってミスト化するようにミスト生成部を構成してもよい。
【符号の説明】
【００３２】
１０…美容装置、２０…ミスト生成部、２３…液体貯留部としての給水タンク、３０…光照射部、３１…光源、４０…静電霧化部、４１…霧化電極、４２…ペルチェユニット、５１…第１送風路、５２…第２送風路、５３…第３送風路、５４…第４送風路。
【図１】
2013123473.tif 000003
【図２】
2013123473.tif 000004
【図３】
2013123473.tif 000005
【図４】
2013123473.tif 000006
【図５】
2013123473.tif 000007